(57)【特許請求の範囲】
【請求項１】
ルア−内部に設けた空間部に前後方向へ線材を配して該線材に重錘体を遊嵌保持したルア−において、前記重錘体の後方側に周囲に向けて突出する突片を設け、前記重錘体がルア−本体の前端側に位置したとき、前記突片が、ルア−本体内の突出部に当接して前記重錘体の前端がルア−本体に当接しないことを特徴とするルア−。
【請求項２】
重錘体の突片は、ルア−本体内に設けた突出部と磁着可能とすることを特徴とする請求項１記載のルア−。
【発明の詳細な説明】
【０００１】
【発明の属する技術分野】
本発明は、内部に重錘体を移動自在に収容し遠投が可能であると共に、重錘体の移動音や衝突音を改良したルア−に関する。
【０００２】
【従来の技術】
従来からルア−本体内に設けた重りが前後に移動し、投入時に大きな飛距離を稼げるルア−が使用されている。
これらのルア−は、例えば、実公平３−１５０２１号公報にはルア−本体内前後方向に設けた通路内を球状の重りが転がりながら移動し、重りは通路前端の磁石で保持されるルア−が紹介されている。
しかし、この様なルア−は、重りが移動するときに転がり音が発生するため魚を警戒させてしまうことがある。
【０００３】
また、特開２００１−２９９１５０号公報のようにルア−本体内に前後方向に設けた線材に重りを遊嵌させ、この線材に沿って重りを前後移動自在にしたルア−が紹介されている。
さらにこのルア−は重りが前方に移動したとき前方の内部壁に設けた磁石に保持されるようになっている。
この様なルア−においては重りが線材に沿って移動するため移動時にあまり音が発生せず、魚を警戒させることがない。
しかし、線材に沿って重りが移動した後に前方の内部壁に正面から衝突するため、衝突音が発生し、この時の衝突音により魚を警戒させるおそれがある。
【０００４】
【発明が解決しようとする課題】
解決しようとする問題点は、重りが移動するときに転がり音が発生するため魚を警戒させてしまうことや、線材に沿って重りが移動した後に前方の内部壁に正面から衝突するため、衝突音が発生し、この時の衝突音により魚を警戒させるおそれがあることである。
【０００５】
本発明の目的は前記欠点に鑑み、重錘体の転がり音や衝突音の発生しないルア−を提供することである。
【０００６】
【課題を解決するための手段】
上記課題を解決するために、
請求項１に係わる本発明は、ルア−内部に設けた空間部に前後方向へ線材を配して該線材に重錘体を遊嵌保持したルア−において、前記重錘体の後方側に周囲に向けて突出する突片を設け、前記重錘体がルア−本体の前端側に位置したとき、前記突片が、ルア−本体内の突出部に当接して前記重錘体の前端がルア−本体に当接しないことを要旨とするものである。
請求項２に係わる本発明は、重錘体の突片は、ルア−本体内に設けた突出部と磁着可能とすることを要旨とするものである。
【０００７】
【発明の実施の形態】
請求項１の本発明により、重錘体７、７′が線材６に沿って移動するため移動時の音の発生が防止されると共に重錘体７、７′がルア−本体１内の前端側に移動したときも重錘体７、７′の正面でなく、後方周囲の突片７ｂで広く突出部１ｄに当接し、又は、突出部１ｄがルア−本体１の外殻１ｇより薄肉で衝撃を吸収するため衝突音が小さくなり魚を警戒させることがない。
請求項２の本発明により、重錘体７、７′の突片７ｂは、ルア−本体１内に設けた突出部１ｄに固定した磁石８、１０に磁着可能としたので、ルア−本体１の動きに合わせて前後方向にふらつくことがなく、ふらつきによる衝突音が防止できる。
【０００８】
【実施例】
以下、図示の実施例によって本発明を説明すると、図１は第１実施例で、図１はルア−本体の内側の側面図である。
【０００９】
ルア−は外殻体がＡＢＳ、ポリカ−ボネ−ト等の合成樹脂製で内部が中空となるように左右対称の外殻を有するルア−本体１が接合されて形成されている。
ルア−本体１の前端と下側と後端には夫々肉厚部１ａ、１ｂ、１ｃが形成されている。
前端の肉厚部１ａにはリング状の釣り糸の止着部２が設けられ直接又はスナップ等を介して釣り糸が止着可能になっている。
下側の肉厚部１ｂと後端の肉厚部１ｃには夫々リング状の釣り針止着部３、３が設けられ接続リング４、４を介して釣り針５、５が止着されている。
下側の肉厚部１ｂと後端の肉厚部１ｃに金属や合成樹脂製の線材６の両端が埋設されてルア−本体１内部の前後方向に架設されている。
線材６には重錘体７が線材６に沿ってルア−本体１の前後方向に移動自在に遊嵌保持されている。
【００１０】
重錘体７の材料は鉄、銅、鉛、タングステンやこれら合金などの金属やこれらの金属を混入した合成樹脂など比重７以上のものが好ましい。
重錘体７の形状は軸部７ａの後方に周囲に向けて突出する突片７ｂが形成され、軸部７ａの中心に貫通孔７ｃが穿設されている。
ルア−本体１の肉厚部１ｂより後側に上下方向に、ルア−本体１の外殻１ｇより薄肉な仕切り板状の突出部１ｄが形成されている。
突出部１ｄに重錘体７の軸部７ａが挿通可能な透孔１ｅが穿設されている。
突出部１ｄの後面の透孔１ｅ周囲に板状の磁石８が固定されている。
板状の磁石８は重錘体７又はルア−本体１を構成する合成樹脂より柔らかい合成樹脂、ゴム等の磁石として衝突音をより小さくしてもよい。
重錘体７が磁性材の時は、突片７ｂが磁石８に直接磁着される。
【００１１】
ルア−を投入する時は、竿先にルア−本体１の前端を上方にして垂下させ、重錘体７は自重で線材６に沿って落下し、重錘体７はルア−本体１内の後端側に位置し、この状態でルア−を投入すると、ルア−の飛距離がでる。
着水後、ルア−を動かすと、水の抵抗で前方が下方を向き重錘体７は線材６に沿ってルア−本体１内の前方側に移動する。
この時重錘体７前端がルア−本体１の下側の肉厚部１ｂに当接しない状態で突片７ｂが突出部１ｄに当接される。
この突出部１ｄには磁石８が固定されているから、突片７ｂが磁着される。
この状態でルア−を動かすと、重錘体７が保持されてこれ以上後方へ移動しない。
また、竿先にルア−を垂下させキャスティングの準備にはいると突出部１ｄへの磁着が解除し、重錘体７はともにルア−後方側へ落下する。
【００１２】
尚、例えば２点鎖線のように球状のゴム又は合成樹脂の緩衝部材９を線材６に遊嵌させ、衝突音を小さくする等線材６の各所に緩衝部材を設けてもよい。
重錘体７の突片７ｂと磁石８が磁着した状態で重錘体７が緩衝部材９に当接している。
緩衝部材９はなくともよい。
【００１３】
前記のようにルア−が構成されると、重錘体７が線材６に沿って移動するため移動時の音の発生が防止されると共に重錘体７がルア−本体１内の前端側に移動したときも重錘体７の正面でなく、後方周囲の突片７ｂで広く突出部１ｄに当接し、又は、突出部１ｄがルア−本体１の外殻１ｇより薄肉で衝撃を吸収するため衝突音が小さくなり魚を警戒させることがない。
重錘体７の突片７ｂは、ルア−本体１内に設けた突出部１ｄに固定した磁石８に磁着可能としたので、ルア−本体１の動きに合わせて前後方向にふらつくことがなく、ふらつきによる衝突音が防止できる。
【００１４】
図２は第２実施例で、図２はルア−本体の内側の側面図である。
【００１５】
第２実施例では、ルア−本体１内の上下方向に薄肉からなる仕切り板状の突出部１ｄが形成されている。
突出部１ｄに重錘体７′の軸部７ａが挿通可能な透孔１ｅが穿設されている。
突出部１ｄの前面の透孔１ｅ周囲に凹部１ｆが形成されて凹部１ｆ内に板状の磁石１０が埋設固定されている。
重錘体７′は非磁性材で形成されて突片７ｂの前側の軸部７ａ外周に板状の磁石または磁性体１１が固定され、磁石１１は重錘体７′又はルア−本体１を構成する合成樹脂より柔らかい合成樹脂、ゴム等のゴム磁石としてもよい。
重錘体７′を磁性材で形成した時は磁石１１を省略してもよい。
他の構成は前記第１実施例と略同一である。
【００１６】
前記説明では、突出部１ｄの後面に板状の磁石８が固定されたり、突出部１ｄの前面の凹部１ｆ内に板状の磁石１０が埋設固定されたが、他の構造で磁石を取り付けてもよい。
【００１７】
【発明の効果】
本発明は、以上説明したような形態で実施され、以下に記載されるような効果を奏する。
【００１８】
請求項１により、重錘体が線材に沿って移動するため移動時の音の発生が防止されると共に重錘体がルア−本体内の前端側に移動したときも重錘体の正面でなく、後方周囲の突片で広く突出部に当接し、又は、突出部がルア−本体の外殻より薄肉で衝撃を吸収するため衝突音が小さくなり魚を警戒させることがない。
請求項２の本発明により、重錘体の突片は、ルア−本体内に設けた突出部に固定した磁石に磁着可能としたので、ルア−本体の動きに合わせて前後方向にふらつくことがなく、ふらつきによる衝突音が防止できる。
【図面の簡単な説明】
【図１】第１実施例で、ルア−本体の内側の側面図である。
【図２】第２実施例で、ルア−本体の内側の側面図である。
【符号の説明】
１  ルア−本体
１ｄ  突出部
６  線材
７、７′  重錘体
７ｂ  突片
８、１０、１１  磁石
【図１】
0003771508.tif 000002
【図２】
0003771508.tif 000003